(57)【要約】【課題】安価なＡ／Ｄ変換器を用いてコストの低減、データ処理量および記憶容量の低減を図りながら、蛍光信号を精度よく検出する。【解決手段】パルス状のレーザ光を射出する光源から出力される同期信号に基づいて、レーザ光のパルス周波数のＮ（Ｎは１以上の整数）倍の周波数を有しかつレーザ光の位相と同期したクロックをフェイズロックループにより生成するクロック生成部１４と、生成されたクロックの遅延量を調整してサンプリングクロックを生成する遅延調整部１５とを備えるＰＬＬ部１２と、ＰＬＬ部１２から出力されるサンプリングクロックによって、レーザ光が照射されることにより試料から出力される信号光のサンプリングを行うＡ／Ｄ変換部１３と、Ａ／Ｄ変換部１３から出力されるサンプリングデータを連続してＮ個取得する毎に１つのデータ配列に格納する受信データ処理部１６とを備える光検出装置４を提供する。【選択図】図２
2019086374.tif 000002
【特許請求の範囲】
【請求項１】
パルス状のレーザ光を射出する光源から出力される同期信号に基づいて、前記レーザ光のパルス周波数のＮ（Ｎは１以上の整数）倍の周波数を有しかつ前記レーザ光の位相と同期したクロックをフェイズロックループにより生成するクロック生成部と、該クロック生成部により生成された前記クロックの遅延量を調整してサンプリングクロックを生成する遅延調整部とを備えるＰＬＬ部と、
該ＰＬＬ部から出力される前記サンプリングクロックによって、前記レーザ光が照射されることにより試料から出力される信号光のサンプリングを行うＡ／Ｄ変換部と、
該Ａ／Ｄ変換部から出力されるサンプリングデータを連続してＮ個取得する毎に１つのデータ配列に格納する受信データ処理部とを備える光検出装置。
【請求項２】
前記遅延量は、検出される前記信号光のレベルが最大となる位置をサンプリングするように設定されている請求項１に記載の光検出装置。
【請求項３】
前記受信データ処理部が、前記Ａ／Ｄ変換部から順次出力される前記サンプリングデータのうち、どの前記サンプリングデータから前記データ配列を開始するかの配列化開始トリガを生成する配列化開始トリガ生成部を備える請求項１または請求項２に記載の光検出装置。
【請求項４】
前記配列化開始トリガ生成部が、前記同期信号と、前記レーザ光が前記試料において反射され前記Ａ／Ｄ変換部にアナログ信号として伝達されるまでの到達時刻との遅延差をサンプリングクロック数に換算して前記配列化開始トリガのタイミングを決定する請求項３に記載の光検出装置。
【請求項５】
前記光源からの前記レーザ光を２次元的に走査する走査部と、
該走査部により走査された前記レーザ光を前記試料に照射し、前記試料から発生する前記信号光を集光する光学系と、
該光学系により集光された前記信号光を検出する請求項１から請求項４のいずれかに記載の光検出装置とを備えるレーザ走査型顕微鏡。
【発明の詳細な説明】
【技術分野】
【０００１】
本発明は、光検出装置およびレーザ走査型顕微鏡に関するものである。
【背景技術】
【０００２】
パルス状のレーザ光を射出する光源からの同期信号を用いてトリガ信号を生成し、所定の周期で蛍光のサンプリングを行うタイミングや期間を示す同期信号を生成するレーザ走査型顕微鏡が知られている（例えば、特許文献１参照。）。
また、パルス状のレーザ光のパルス発振周波数を遥かに上回る周波数でレーザ光および蛍光の両方をサンプリングして、レーザ光による励起のタイミングに同期した蛍光のデータを用いた演算を行うレーザ走査型顕微鏡が知られている（例えば、特許文献２参照。）。
【先行技術文献】
【特許文献】
【０００３】
【特許文献１】特開２００１−１５９７３４号公報
【特許文献２】特開２０１３−１１７５２９号公報
【発明の概要】
【発明が解決しようとする課題】
【０００４】
しかしながら、特許文献１のレーザ走査型顕微鏡では、光源からのレーザ光の発振周波数が変動した場合に、サンプリングの期間をレーザ光の発振周波数に合わせて最適化しなければならないという不都合がある。また、トリガにより開始されるサンプリング有効期間が決まっているので隣接するパルス照射タイミングの期間との間にサンプリングが行われないデッドタイムが発生し、蛍光信号の損失が発生するという不都合がある。
また、特許文献２のレーザ走査型顕微鏡によれば、そのような不都合はないが、高速にサンプリングを行うことができるＡ／Ｄ変換器が高価であってコストが嵩むという不都合がある。また、高速にサンプリングを行って取得される蛍光のデータが膨大となり、データ処理量および記憶容量が増大するという不都合もある。
【０００５】
本発明は上述した事情に鑑みてなされたものであって、安価なＡ／Ｄ変換器を用いてコストの低減、データ処理量および記憶容量の低減を図りながら、蛍光信号を精度よく検出することができる光検出装置およびレーザ走査型顕微鏡を提供することを目的としている。
【課題を解決するための手段】
【０００６】
上記目的を達成するために、本発明は以下の手段を提供する。
本発明の一態様は、パルス状のレーザ光を射出する光源から出力される同期信号に基づいて、前記レーザ光のパルス周波数のＮ（Ｎは１以上の整数）倍の周波数を有しかつ前記レーザ光の位相と同期したクロックをフェイズロックループにより生成するクロック生成部と、該クロック生成部により生成された前記クロックの遅延量を調整してサンプリングクロックを生成する遅延調整部とを備えるＰＬＬ部と、該ＰＬＬ部から出力される前記サンプリングクロックによって、前記レーザ光が照射されることにより試料から出力される信号光のサンプリングを行うＡ／Ｄ変換部と、該Ａ／Ｄ変換部から出力されるサンプリングデータを連続してＮ個取得する毎に１つのデータ配列に格納する受信データ処理部とを備える光検出装置を提供する。
【０００７】
本態様によれば、光源からパルス状のレーザ光が発せられると、光源から出力される同期信号がＰＬＬ部に入力される。ＰＬＬ部においては、同期信号を用いたフェイズロックループにより、クロック生成部が、レーザ光のパルス周波数のＮ倍の周波数を有しかつレーザ光の位相に同期したクロックを生成し、生成されたクロックの遅延量が遅延調整部において調整されてサンプリングクロックが生成される。
【０００８】
生成されたサンプリングクロックはＡ／Ｄ変換部における試料からの信号光のサンプリングに用いられ、受信データ処理部において、Ａ／Ｄ変換部から出力されるサンプリングデータが連続してＮ個取得される毎に１つのデータ配列に格納される。
レーザ光の同期信号のＮ倍の周波数を有するサンプリングクロックを用いて信号光をサンプリングするので、Ｎ個のサンプリングデータを取得する時間周期とレーザ光のパルス発振周期とは完全に一致している。これにより、レーザ光のパルス発振周期の境目でデッドタイムを発生させることなく損失なくサンプリングデータを取得することができる。
【０００９】
また、レーザ光のパルス発振周期とサンプリングクロックとの位相がロックされているので、パルス発振周期毎にサンプリングを行うタイミングを毎回同じにすることができ、サンプリングの周波数を低くしてもパルス照射とサンプリングとの間の時間精度を高く保持することが可能であり、安価なＡ／Ｄ変換器を用いることができる。
【００１０】
上記態様においては、前記遅延量は、検出される前記信号光のレベルが最大となる位置をサンプリングするように設定されていてもよい。
このようにすることで、試料から出力される蛍光等の信号光のように、ピーク強度となった後に徐々に減衰するような信号光の形状を精度よく検出することができる。
【００１１】
また、上記態様においては、前記受信データ処理部が、前記Ａ／Ｄ変換部から順次出力される前記サンプリングデータのうち、どの前記サンプリングデータから前記データ配列を開始するかの配列化開始トリガを生成する配列化開始トリガ生成部を備えていてもよい。
このようにすることで、配列化開始トリガ生成部により、どのサンプリングデータからデータ配列を開始するかを決定する配列化開始トリガが生成されるので、光源からレーザ光が発せられてからＡ／Ｄ変換部においてサンプリングされるまでに発生する種々の遅延を含めた遅延量で配列化開始トリガを設定することができ、試料にレーザ光がパルス照射される度に発生する信号光を、そのパルス照射周期毎に区切って精度よく検出することができる。
【００１２】
また、上記態様においては、前記配列化開始トリガ生成部が、前記同期信号と、前記レーザ光が前記試料において反射され前記Ａ／Ｄ変換部にアナログ信号として伝達されるまでの到達時刻との遅延差をサンプリングクロック数に換算して前記配列化開始トリガのタイミングを決定してもよい。
このようにすることで、同期信号に同期して生成されるサンプリングクロックの数に換算された遅延差だけ同期信号から遅れた時点に配列化開始トリガを発生させることができ、レーザ光に対応する信号光を精度よく検出することができる。
【００１３】
また、本発明の他の態様は、前記光源からの前記レーザ光を２次元的に走査する走査部と、該走査部により走査された前記レーザ光を前記試料に照射し、前記試料から発生する前記信号光を集光する光学系と、該光学系により集光された前記信号光を検出する上記いずれかに記載の光検出装置とを備えるレーザ走査型顕微鏡を提供する。
【発明の効果】
【００１４】
本発明によれば、安価なＡ／Ｄ変換器を用いてコストの低減、データ処理量および記憶容量の低減を図りながら、蛍光信号を精度よく検出することができるという効果を奏する。
【図面の簡単な説明】
【００１５】
【図１】本発明の一実施形態に係るレーザ走査型顕微鏡を示す全体構成図である。
【図２】図１のレーザ走査型顕微鏡に備えられる本発明の一実施形態に係る光検出装置を示すブロック図である。
【図３】図２の光検出装置の作用を説明するタイミングチャートである。
【図４】図２の光検出装置における遅延調整部において調整される第１の遅延量の設定方法を説明する図である。
【図５】図３における第２の遅延量を設定する方法を説明する図である。
【図６】図３の受信データ処理部の詳細を説明する図である。
【図７】図３における第２の遅延量を設定する他の方法を説明する図である。
【図８】図３の受信データ処理部の変形例を説明するブロック図である。
【図９】図８の受信データ処理部により設定される第３の遅延量を説明する図である。
【図１０】図１のレーザ走査型顕微鏡の変形例を示す全体構成図である。
【図１１】図３の受信データ処理部の他の変形例を説明するブロック図である。
【図１２】図１のレーザ走査型顕微鏡の他の変形例を示す全体構成図である。
【発明を実施するための形態】
【００１６】
本発明の一実施形態に係る光検出装置４およびレーザ走査型顕微鏡１について、超短パルスレーザ照射により発生する多光子励起蛍光を検出する多光子励起レーザ顕微鏡の構成を一例として、図面を参照して以下に説明する。
本実施形態に係るレーザ走査型顕微鏡１は、図１に示されるように、パルス状のレーザ光を射出する光源２と、該光源２からのレーザ光を試料Ｘに照射し、試料Ｘにおいて発生する蛍光（信号光）を検出する顕微鏡本体３と、該顕微鏡本体３により検出された蛍光をサンプリングしてデジタルの蛍光強度信号を生成する光検出装置４と、顕微鏡本体３を制御するとともに、光検出装置４から受信した蛍光強度信号を用いて蛍光画像を生成する制御部５と、該制御部５により生成された蛍光画像を表示する表示部６とを備えている。
【００１７】
光源２は、パルス状のレーザ光を周期的に射出するとともに、レーザ光の射出周期に同期する同期信号を外部に出力する同期信号出力部７を備えている。
顕微鏡本体３は、光源２からのレーザ光を２次元的に走査するスキャナ（走査部）８と、該走査部８により走査されたレーザ光を試料Ｘに集光する一方、試料Ｘにおいて発生した蛍光を集光する対物レンズ（光学系）９と、該対物レンズ９により集光された蛍光をレーザ光の光路から分岐するダイクロイックミラー１０と、該ダイクロイックミラー１０により分岐された蛍光を検出する光検出器（例えば、光電子増倍管）１１とを備えている。
【００１８】
スキャナ８は、例えば、それぞれ揺動する２つのガルバノミラーを対向して配置することにより構成された、いわゆる近接ガルバノミラーである。ダイクロイックミラー１０は、所定の波長帯域のレーザ光は透過し、レーザ光とは異なる波長帯域の蛍光を反射するようになっている。
【００１９】
本実施形態に係る光検出装置４は、図２に示されるように、サンプリングクロックを生成するＰＬＬ部１２と、該ＰＬＬ部１２において生成されたサンプリングクロックによって、光検出器１１により検出された蛍光のサンプリングを行うＡ／Ｄ変換器（Ａ／Ｄ変換部）１３とを備えている。
【００２０】
ＰＬＬ部１２は、クロック生成部１４と、遅延調整部１５とを備えている。
クロック生成部１４は、光源２から出力される同期信号に基づいて、レーザ光のパルス周波数のＮ（Ｎは１以上の整数）倍の周波数を有し、かつ、レーザ光の出射周期と同期したクロックをフェイズロックループにより生成するようになっている。
遅延調整部１５は、クロック生成部１４により生成されたクロックの第１の遅延量ＤＴ１を調整してサンプリングクロックを生成するようになっている。第１の遅延量ＤＴ１については後述する。
【００２１】
また、光検出装置４は、Ａ／Ｄ変換器１３から出力されるサンプリングデータを連続してＮ個取得する毎に１つのデータ配列に格納する受信データ処理部１６を備えている。
制御部５は、スキャナ８を駆動する走査位置情報と、１つのデータ配列に格納されたＮ個のサンプリングデータとを対応づけることにより、２次元的な蛍光画像を生成するようになっている。
【００２２】
このように構成された本実施形態に係る光検出装置４およびレーザ走査型顕微鏡１の作用について以下に説明する。
光源２からは、図３に示されるように、所定の周期（パルス発振周期）でパルス状のレーザ光が射出され、光源２の同期信号出力部７からは、パルス状のレーザ光の射出周期に同期する同一周期の同期信号が出力される。
【００２３】
光源２から発せられたパルス状のレーザ光は、スキャナ８によって２次元的に走査され、ダイクロイックミラー１０を透過して対物レンズ９により試料Ｘに集光される。試料Ｘにおいて集光されたレーザ光は、スキャナ８による走査位置毎に試料Ｘ内に存在する蛍光物質を励起して蛍光を発生させる。発生した蛍光は対物レンズ９により集光され、ダイクロイックミラー１０によってレーザ光から分岐されて光検出器１１により検出される。
【００２４】
光検出装置４においては、光検出器１１から出力される蛍光強度を示すアナログ信号がＡ／Ｄ変換器１３に入力される。また、光検出装置４においては、光源２の同期信号出力部７から出力されてくる同期信号がＰＬＬ部１２に入力される。
ＰＬＬ部１２に同期信号が入力されると、同期信号はクロック生成部１４に入力され、クロック生成部１４において、図３に示されるように、入力された同期信号を元にパルス状のレーザ光のパルス周波数のＮ倍の周波数を持ち、かつ、その位相がレーザ光の位相と同期したクロックが生成される。
【００２５】
また、クロック生成部１４において生成されたクロックは、遅延調整部１５に入力され、遅延調整部１５において、入力されたクロックの第１の遅延量ＤＴ１が調整されることにより、サンプリングクロックが生成される。そして、生成されたサンプリングクロックがＡ／Ｄ変換器１３に入力されて、各サンプリングクロックの立ち上がりに蛍光強度のアナログ信号がサンプリングされる。
【００２６】
これにより、Ａ／Ｄ変換器１３においては、位相調整されたサンプリングクロックで、レーザ光の周波数のＮ倍のサンプリングレートで蛍光強度がＡ／Ｄ変換される。
そして、受信データ処理部１６においては、Ａ／Ｄ変換されたデータがＮ個ごとに配列化される。これにより、レーザ光の周期ごとに検出されたデータ列を生成することができる。
図３における第２の遅延量ＤＴ２については後述する。
【００２７】
このように本実施形態に係る光検出装置４およびレーザ走査型顕微鏡１によれば、蛍光強度のサンプリングデータをＮ個取得する時間周期と、パルス状のレーザ光の周期とは完全に一致しているので、レーザ光の射出周期が変動しても、これに同期させてサンプリングデータを取得して、レーザ光のパルス照射とサンプリングとの間の時間制度を高く保持することができ、サンプリング期間を最適化する必要がない。
【００２８】
また、本実施形態に係る光検出装置４によれば、レーザ光の射出周期と完全に同期した周期でサンプリングデータを取得でき、レーザ光の周期の境目におけるデッドタイムの発生を防止することができる。そして、周期毎のジッタを非常に少なく抑えることができ、サンプリング周波数を低減しても時間誤差が少ないという利点もある。サンプリング周波数を低減することにより、使用するＡ／Ｄ変換器１３の発熱を抑制することができる。
【００２９】
また、従来例のように、例えば５ＧＨｚのサンプリングクロックを有する高価なＡ／Ｄ変換器を使用しなくても、サンプリング速度を低減しても時間誤差が少ないサンプリングを行うことができるため、コストを低減することができるという利点がある。
【００３０】
また、ＰＬＬ部１２の遅延調整部１５による位相調整によって、レーザ光のパルスの周期とサンプリング周期との間の第１の遅延量ＤＴ１を高い自由度かつ高精度に調整することができるという利点もある。すなわち、レーザ走査型顕微鏡１においては、光源２からの同期信号がＰＬＬ部１２に到達するまでには、同期位相の遅延および同期信号の伝播遅延が発生する可能性がある。また、光源２からレーザ光が射出され、試料Ｘにおいて発生した蛍光が光検出器１１により検出されるまでには、光路長に応じた光伝播遅延が発生する可能性がある。さらに、光検出器１１からＰＬＬ部１２に蛍光強度信号が到達するまでには、信号の伝播遅延が発生する可能性がある。
【００３１】
遅延調整部１５において、これらの遅延が相殺されるような第１の遅延量ＤＴ１を設定することができる。
また、遅延調整部１５において調整するクロックの第１の遅延量ＤＴ１については、図４に示されるように、所望の信号を取得することができる第１の遅延量ＤＴ１に自動調整されることにしてもよい。例えば、第１の遅延量ＤＴ１を微少変動させ、取得されるサンプリングデータの信号レベルが最大値となる第１の遅延量ＤＴ１を採用してもよい。あるいは、光検出装置４にテストパターン生成装置（図示略）を接続し、入力されたテストパターンに基づいて設定することにしてもよい。
【００３２】
また、全ての遅延を測定することができれば、受信データ処理部１６において、Ａ／Ｄ変換器１３から順次入力されてくるデータのうち、どのデータから配列化を開始するかを定める第２の遅延量ＤＴ２を設定することができる。
第２の遅延量ＤＴ２を設定する方法としては、例えば、図５に示されるように、試料Ｘを配置するステージに、試料Ｘに代えてミラー１７を配置し、光源２から射出したレーザ光をミラー１７によって反射させるようにする。
【００３３】
この場合に、ダイクロイックミラー１０に代えてハーフミラー３０を配置し、ミラー１７からの反射光の少なくとも一部が光検出器１１に入射するようにしてもよい。
これにより、ミラー１７において反射されたレーザ光が、光検出器１１に入射され、検出信号として出力されてＡ／Ｄ変換器１３によりサンプリングされる。
【００３４】
この場合に、図６に示されるように、受信データ処理部１６は、Ａ／Ｄ変換器１３においてデータ化されるＮ個のデータ列のうち、何番目のデータでレーザ光の光強度信号がサンプリングされたかを検出し、このデータ番号を第２の遅延量ＤＴ２として記憶し、配列化開始タイミングトリガを発生する配列化開始トリガ生成部１８と、配列化開始タイミングトリガに応じて配列化を行う配列化処理部１９とを備えていてもよい。
【００３５】
受信データ処理部１６においては、光源２からの同期信号に対して第２の遅延量ＤＴ２だけ遅延させたタイミングで配列化開始トリガ生成部１８から配列化開始タイミングトリガを生成させることにより、配列化処理部１９により配列化を開始する。ここで、第２の遅延量ＤＴ２は同期信号の立ち上がり後何番目のデータにおいてレーザ光がサンプリングされたかによって決定される。例えば、図３に示されるように、取得データ列のサンプリングデータＤ１が、ミラー１７により反射されたレーザ光がサンプリングされるタイミングになるように第２の遅延量ＤＴ２を設定する。第２の遅延量ＤＴ２が一旦設定された後には、ミラー１７を取り外してミラー１７に代えて試料Ｘを配置し、ダイクロイックミラー１０を元に戻すことで、同期信号の遅延と光路長による遅延とを相殺しながら試料Ｘからの蛍光をサンプリングし、サンプリングデータを配列化することができる。
【００３６】
遅延を測定する他の方法としては、図７に示されるように、光源２とスキャナ８との間にハーフミラー２０を配置し、ハーフミラー２０により分岐したレーザ光を他の光検出器２１により検出して、Ａ／Ｄ変換器１３に入力してもよい。分岐されたレーザ光がＡ／Ｄ変換器１３に入力されるタイミングと、光源２からの同期信号がＡ／Ｄ変換器１３に到達するタイミングとの時間差を検出する。
【００３７】
ここで、この時間差は、同期信号の立ち上がり後、何番目のサンプリング周期でサンプリングされるかによって算出される。算出された時間差に、ハーフミラー２０、試料Ｘ、ダイクロイックミラー１０を経由して光検出器１１に至る光路伝播距離と、ハーフミラー２０から他の光検出器２１までの光路伝播距離との差分における遅延量を加えた値を第２の遅延量ＤＴ２として、受信データ処理部１６に設定することにすればよい。
【００３８】
さらに、第２の遅延量ＤＴ２を決定する他の方法は、光源２から出力される同期信号を受信データ処理部１６に取り込み、その同期信号の電気的伝播遅延や、レーザ光が試料Ｘに至りダイクロイックミラー１０を経て光検出器１１により検出されＡ／Ｄ変換器１３に到達するまでの時間遅延などを全て理論的に計算し、算出された遅延量を受信データ処理部１６に設定し、取り込まれた同期信号に対して第２の遅延量ＤＴ２だけ遅延させたタイミングで配列化を開始することにしてもよい。
【００３９】
また、本実施形態に係るレーザ走査型顕微鏡１においては、図８に示されるように、画素クロックのスキャン開始タイミングに対して、データサンプリング遅延調整値で設定される第３の遅延量ＤＴ３だけ遅延したタイミングで画素データの生成を開始する画素データ生成部２２を備えることにしてもよい。また、Ａ／Ｄ変換器１３や受信データ処理部１６で生じる時間遅延がレーザ光のパルス周期よりも大きい場合があり、スキャン画素位置へのレーザ光照射とその結果の信号光サンプリングデータ出力の間にも大きな時間差が生じることになる。この場合、図９に示されるように、ｍ画素目のスキャン開始タイミングからｍ画素目のデータ到達タイミングまでが第３の遅延量ＤＴ３だけ遅延する場合に画素データ生成部２２からの出力を遅延させることにより、制御部５に入力される画素クロックとサンプリングデータの双方の時間遅延を吸収することができる。
【００４０】
また、単一の光検出器１１により蛍光を検出する場合について例示したが、これに代えて、図１０に示されるように、蛍光を波長毎に分岐するダイクロイックミラー２３をさらに備え、分岐された蛍光をそれぞれ検出する複数の光検出器２４をそれぞれ備えていてもよい。この場合、各光検出器１１，２４に至るまでの光路長差、各光検出器１１，２４からＡ／Ｄ変換器１３に至るまでの電気的遅延差、各Ａ／Ｄ変換器１３のチャネル間における処理遅延や検出遅延による遅延の差を第２の遅延量ＤＴ２としてチャネル毎に受信データ処理部１６に設定することにしてもよい。チャネル毎の遅延量の設定方法は上記いずれかの方法を用いればよい。
【００４１】
また、顕微鏡のアプリケーションとして、レーザ光の各パルス射出後の特定の時間区間（ゲート区間）に検出された蛍光信号のみを抜き出すゲート法と呼ばれる手法がある。また、画素データを生成するには、レーザ光の複数のパルスの射出により得られる複数の蛍光信号を用いて１つの画素データを生成するため、ゲート法を実施するには、複数の蛍光信号における特定の時間区間のサンプリングデータを抜き出す必要がある。
【００４２】
そこで、図１１に示されるように、受信データ処理部１６が順次配列化する配列データを要素（行要素）とする２次元配列処理を実施し、レーザ光の各パルスに対応したＮ個のデータ配列を列方向に順次格納していくことにしてもよい。このようにしてサンプリングされた蛍光データを２次元配列することにより、レーザ光の複数パルスに対応したある時間区間における蛍光データを抜き出してデータ処理を容易に行うことができるという利点がある。
【００４３】
また、図１２に示されるように、ＰＬＬ部１２にＰＬＬロック監視部２５を設けてもよい。ＰＬＬロック監視部２５は、ＰＬＬ部１２からＰＬＬロック信号を受け取り、同期信号出力部７から受け取った同期信号との同期が崩れた場合に制御部５に対してスキャン停止信号を出力し、制御部５によりスキャン停止処理が行われることにしてもよい。同時に、ＰＬＬロック監視部２５からＰＬＬ部１２に対してＰＬＬ初期化信号を送ることにより、ＰＬＬ部１２のロック状態を初期化する。ＰＬＬ部１２におけるロック状態が再度成立すると、ＰＬＬロック監視部２５は制御部５に対するスキャン停止信号を解除し、スキャナ８によるスキャン可能状態に戻すことにしてもよい。
【００４４】
また、本実施形態のレーザ走査型顕微鏡１として、多光子励起レーザ顕微鏡を一例として説明したが、これに代えて、通常のレーザ共焦点顕微鏡に適用してもよい。
この場合、光検出器１１は対物レンズ９の焦点と光学的共役位置に配置されたピンホールを経由した後に配置される点で、多光子励起レーザ顕微鏡を用いた場合と相違している。その他の点においては多光子励起レーザ顕微鏡を用いた場合と共通の構成と信号処理で蛍光検出を行うものである。
【００４５】
また、共焦点観察では光源としてパルス発振レーザではなく連続発振レーザを用いるのが一般的であるが、蛍光寿命観察（ＦＬＩＭ）等特殊な観察法においては連続発振レーザを任意の強度変調手段を用いてパルス状に強度変調して試料Ｘに照射し、その変調パルスに同期したシグナル検出を行う場合がある。この場合には、強度変調手段に与えるパルス変調信号の同期信号を同期信号出力部７に代えてＰＬＬ部１２へ入力すればよい。
【００４６】
また、蛍光を検出する場合について例示したが、これに代えて、他の任意の信号光を検出する場合に適用してもよい。例えば、光源２からのパルス状のレーザ光を試料Ｘに照射することにより発生するラマン散乱光を観察する誘導ラマン散乱顕微鏡（ＳＲＳ顕微鏡）がある。ＳＲＳ顕微鏡は、検出シグナルＳ／Ｎ改善のために、光源２からのパルス状のレーザ光にさらに周期的な強度変調を加え、光検出器１１からのアナログ信号に含まれる周期的強度変調の周波数成分のみをロックインアンプを用いて分離抽出して目的の強度データを得ている。ロックインアンプはその出力安定までに比較的長い時間を必要とするため画像フレームレートを高速化しにくい欠点がある。しかしながら、本実施形態においては、周期的強度変調の変調信号に同期した信号をＰＬＬ部１２に入力すれば、Ａ／Ｄ変換器１３および受信データ処理部１６においてその強度変調周波数に同期したデジタルデータとして検出することができ、ロックインアンプを用いる方法に比べて短時間でＳ／Ｎの良好なシグナルデータを得ることに利用可能である。
【符号の説明】
【００４７】
１  レーザ走査型顕微鏡
２  光源
４  光検出装置
８  スキャナ（走査部）
９  対物レンズ（光学系）
１２  ＰＬＬ部
１３  Ａ／Ｄ変換器（Ａ／Ｄ変換部）
１４  クロック生成部
１５  遅延調整部
１６  受信データ処理部
１８  配列化開始トリガ生成部
Ｘ  試料
【図１】
2019086374.tif 000003
【図２】
2019086374.tif 000004
【図３】
2019086374.tif 000005
【図４】
2019086374.tif 000006
【図５】
2019086374.tif 000007
【図６】
2019086374.tif 000008
【図７】
2019086374.tif 000009
【図８】
2019086374.tif 000010
【図９】
2019086374.tif 000011
【図１０】
2019086374.tif 000012
【図１１】
2019086374.tif 000013
【図１２】
2019086374.tif 000014